Podtech/llm-jp-corpus-v4-ja_patent huggingface dataset:
【手続補正書】
【提出日】平成17年12月22日(2005.12.22)
【手続補正１】
【補正対象書類名】明細書
【補正対象項目名】特許請求の範囲
【補正方法】変更
【補正の内容】
【特許請求の範囲】
【請求項１】  配線基板と、前記配線基板の上面に実装されたマイコンチップおよびメモリチップによってシステムが構成されたシステムインパッケージ構造を有する半導体装置であって、
前記マイコンチップは、前記メモリチップを含む前記システムの内部とのインターフェイス、および前記システムの外部とのインターフェイスをそれぞれ有する多ポート構造で構成され、
前記メモリチップは、前記マイコンチップを介して前記システムの外部にアクセスされるように構成され、
前記マイコンチップは、ほぼ正方形の平面形状を有し、
前記メモリチップは、ほぼ長方形の平面形状を有し、
前記マイコンチップの辺の長さは、前記メモリチップの長辺の長さよりも短く、
前記マイコンチップは、前記メモリチップの上に積層された状態で前記配線基板上に実装されていることを特徴とする半導体装置。
【請求項２】  前記マイコンチップは、複数のボンディングワイヤを介して前記配線基板の複数の第１電極に接続され、前記メモリチップは、複数のボンディングワイヤまたは複数のバンプ電極を介して前記配線基板の複数の第２電極に接続され、前記複数の第１電極は、前記複数の第２電極よりも前記配線基板の外周側に配置されていることを特徴とする請求項１記載の半導体装置。
【請求項３】  前記メモリチップには、ＤＲＡＭまたはフラッシュメモリが形成されていることを特徴とする請求項１記載の半導体装置。
【請求項４】  前記マイコンチップおよび前記メモリチップは、それぞれ複数の端子を有し、前記マイコンチップの前記端子の数は、前記メモリチップの前記端子の数よりも多いことを特徴とする請求項１記載の半導体装置。
【請求項５】  前記メモリチップの前記複数の端子は、前記マイコンチップと平面的に重ならない部分に配置されていることを特徴とする請求項４記載の半導体装置。
【請求項６】  配線基板と、前記配線基板の上面に実装されたマイコンチップおよび２個のメモリチップによってシステムが構成されたシステムインパッケージ構造を有する半導体装置であって、
前記マイコンチップは、前記２個のメモリチップを含む前記システムの内部とのインターフェイス、および前記システムの外部とのインターフェイスをそれぞれ有する多ポート構造で構成され、
前記２個のメモリチップのそれぞれは、前記マイコンチップを介して前記システムの外部にアクセスされるように構成され、
前記マイコンチップは、ほぼ正方形の平面形状を有し、
前記２個のメモリチップのそれぞれは、ほぼ長方形の平面形状を有し、
前記マイコンチップの辺の長さは、前記２個のメモリチップのそれぞれの長辺の長さよりも短く、
前記マイコンチップは、前記２個のメモリチップの上に積層された状態で前記配線基板上に実装されていることを特徴とする半導体装置。
【請求項７】  前記マイコンチップは、複数のボンディングワイヤを介して前記配線基板の複数の第１電極に接続され、前記２個のメモリチップのうち、下層のメモリチップは、複数のバンプ電極を介して前記配線基板の複数の第２電極に接続され、上層のメモリチップは、複数のボンディングワイヤを介して前記配線基板の複数の第３電極に接続され、前記複数の第１電極は、前記複数の第２電極および前記複数の第３電極よりも前記配線基板の外周側に配置されていることを特徴とする請求項６記載の半導体装置。
【請求項８】  前記２個のメモリチップの一方にはＤＲＡＭが形成され、他方にはフラッシュメモリが形成されていることを特徴とする請求項６記載の半導体装置。
【請求項９】  前記配線基板の下面には、複数の外部接続端子を構成する複数のバンプ電極が形成されていることを特徴とする請求項６記載の半導体装置。
【請求項１０】  前記下層のメモリチップと前記配線基板との隙間にアンダーフィル樹脂が充填されていることを特徴とする請求項７記載の半導体装置。
【請求項１１】  前記マイコンチップおよび前記２個のメモリチップは、それぞれ複数の端子を有し、前記マイコンチップの前記端子の数は、前記２個のメモリチップのそれぞれの前記端子の数よりも多いことを特徴とする請求項６記載の半導体装置。
【請求項１２】  前記２個のメモリチップのそれぞれの前記複数の端子は、前記マイコンチップと平面的に重ならない部分に配置されていることを特徴とする請求項１１記載の半導体装置。
【請求項１３】  配線基板と、前記配線基板の上面に実装されたマイコンチップおよびメモリチップによってシステムが構成されたシステムインパッケージ構造を有する半導体装置であって、
前記マイコンチップは、前記メモリチップを含む前記システムの内部とのインターフェイス、および前記システムの外部とのインターフェイスをそれぞれ有する多ポート構造で構成され、
前記メモリチップは、前記マイコンチップを介して前記システムの外部にアクセスされるように構成され、
前記マイコンチップは、複数の辺を有し、
前記メモリチップは、第１の辺と、前記第１の辺よりも長い第２の辺とを有し、
前記マイコンチップの前記複数の辺のそれぞれの長さは、前記メモリチップの前記第２の辺の長さよりも短く、
前記マイコンチップは、前記メモリチップ上に積層された状態で、前記配線基板上に実装されていることを特徴とする半導体装置。
【請求項１４】  前記マイコンチップは、複数のボンディングワイヤを介して前記配線基板の複数の第１電極に接続され、前記メモリチップは、複数のボンディングワイヤまたは複数のバンプ電極を介して前記配線基板の複数の第２電極に接続され、前記複数の第１電極は、前記複数の第２電極よりも前記配線基板の外周側に配置されていることを特徴とする請求項１３記載の半導体装置。
【請求項１５】  前記メモリチップは、ＤＲＡＭまたはフラッシュメモリを有することを特徴とする請求項１３記載の半導体装置。
【請求項１６】  前記マイコンチップおよび前記メモリチップは、それぞれ複数の端子を有し、前記マイコンチップの前記端子の数は、前記メモリチップの前記端子の数よりも多いことを特徴とする請求項１３記載の半導体装置。
【請求項１７】  前記メモリチップの前記複数の端子は、前記マイコンチップと平面的に重ならない部分に配置されていることを特徴とする請求項１６記載の半導体装置。
【請求項１８】  前記メモリチップの前記第２の辺は、前記第１の辺の延在する方向と交差する方向に延在していることを特徴とする請求項１３記載の半導体装置。
【手続補正書】
【提出日】平成18年1月11日(2006.1.11)
【手続補正１】
【補正対象書類名】明細書
【補正対象項目名】特許請求の範囲
【補正方法】変更
【補正の内容】
【特許請求の範囲】
【請求項１】  複数のショットを有する被露光体をレチクルに対してアライメントする方法において、
第１の数の前記ショットの夫々に対応するアライメントマークを検出する第１の検出ステップと、
前記第１の検出ステップの検出結果に基づいて、所定のアライメント精度を満足するために前記ショットの全数よりも小さい第２の数を決定する決定ステップと、
前記第２の数のショットの夫々に対応するアライメントマークを検出する第２の検出ステップと、
前記第２の検出ステップの検出結果に基づいて前記被露光体を前記レチクルに対してアライメントするアライメントステップとを有することを特徴とする方法。
【請求項２】  前記決定ステップは、前記第１の検出ステップの検出結果から前記アライメントマークの位置検出精度を取得することを特徴とする請求項１記載の方法。
【請求項３】  前記アライメントマークは複数のマーク要素を含み、
前記決定ステップは、前記第１の検出ステップで検出された前記マーク要素の間隔に基づいて前記第２の数を決定することを特徴とする請求項１記載の方法。
【請求項４】  前記決定ステップは、前記マーク要素の間隔の再現性をＭｒ、前記アライメントマークに含まれる前記マーク要素の本数をＮｍ、前記アライメント精度をＡｒ、補正係数をα（１≦α≦３）とすると、Ｎｓ≧α・（Ｍｒ／Ａｒ）２／Ｎｍを満たす最も小さい自然数Ｎｓを求めることを特徴とする請求項３記載の方法。
【請求項５】  前記決定ステップは、前記マーク要素の間隔の再現性をＭｒ、前記アライメントマークに含まれる前記マーク要素の本数をＮｍ、前記アライメント精度をＡｒ、補正係数をα（１≦α≦３）、所定の関数をｆとすると、Ｎｓ≧α・ｆ（Ｎｍ、Ｍｒ、Ａｒ）を満たす最も小さい自然数Ｎｓを求めることを特徴とする請求項３記載の方法。
【請求項６】  前記アライメントマークは複数のマーク要素を含み、
前記決定ステップは、
全ての前記マーク要素の位置の計測値から得られる平均値と前記マーク要素の夫々の位置の計測値との差を求めるステップと、
前記差の再現性を求めるステップを含むことを特徴とする請求項１記載の方法。
【請求項７】  複数のショットを有する被露光体をレチクルに対してアライメントする装置において、
前記ショットに対応するアライメントマークを検出する検出手段と、
第１の数の前記ショットの夫々に対応するアライメントマークを前記検出手段が検出した結果に基づいて所定のアライメント精度を満足するための第２の数を決定する制御部と、
前記第２の数のショットの夫々に対応するアライメントマークを前記検出手段が検出した結果に基づいて前記被露光体を前記レチクルに対してアライメントするために移動する移動部とを有することを特徴とする装置。
【請求項８】  前記所定のアライメント精度を入力可能な入力部を更に有することを特徴とする請求項７記載の装置。
【請求項９】  請求項８記載のアライメント装置を有することを特徴とする露光装置。
【請求項１０】  第１パターン上に膜が形成され且つ該膜上に第２パターンが形成された複数のショットの前記第１パターンと前記第２パターンとの重ね合わせ状態を検査する重ね合わせ検査方法において、
第１の数の前記ショットの夫々に対応する計測マークを検出する第１の検出ステップと、
前記第１の検出ステップの検出結果に基づいて、所定の重ね合わせ検査精度を満足するために第２の数を決定する決定ステップと、
前記第２の数のショットの夫々に対応する計測マークを検出する第２の検出ステップとを有することを特徴とする方法。
【請求項１１】  第１パターン上に膜が形成され且つ該膜上に第２パターンが形成された複数のショットの前記第１パターンと前記第２パターンとの重ね合わせ状態を検査する重ね合わせ検査装置において、
前記ショットに対応する計測マークを検出する検出手段と、
第１の数の前記ショットの夫々に対応する計測マークを前記検出手段が検出した結果に基づいて、所定の重ね合わせ検査精度を満足するための第２の数を決定する制御部とを有することを特徴とする重ね合わせ検査装置。
【手続補正書】
【提出日】平成17年12月5日(2005.12.5)
【手続補正１】
【補正対象書類名】明細書
【補正対象項目名】特許請求の範囲
【補正方法】変更
【補正の内容】
【特許請求の範囲】
【請求項１】
撮像手段と、
前記撮像手段により撮影された画像データを記録メディアに記録する記録手段と、
前記記録メディアから画像データを再生する再生手段と、
前記記録メディアに記録されている画像データより再生すべき任意の画像データを指定する指定手段と、
前記指定手段により指定された画像データの再生動作の開始と終了に連動して、前記記録手段による前記撮影された画像データの記録開始と終了を制御する制御手段と、
前記再生された画像データに係る画像と前記撮影された画像とを合成して表示装置に表示する表示手段
とを具備することを特徴とする撮影装置。
【請求項２】
前記表示手段は、前記指定された画像データの再生開始に連動して、前記再生された画像データに係る画像と前記撮影された画像とを合成して表示装置に表示することを特徴とする請求項１記載の撮影装置。
【請求項３】
前記表示手段は前記記録メディアに記録されている画像データのサムネイル画像からなるインデックス画面を前記表示装置に表示し、前記指定手段はインデックス画面におけるサムネイル画像を選択することにより前記画像データを指定し、前記制御手段は前記インデックス画面において何れかのサムネイル画像が選択された状態で記録指示があったことに応じて、前記再生手段を制御して前記指定された画像データの再生を開始すると共に前記記録手段を制御して前記撮影された画像データの記録を開始することを特徴とする請求項１記載の撮影装置。
【請求項４】
前記指定された画像データと前記指定された画像データの再生に連動して記録された画像データとを関連付けるための管理情報を生成し、前記記録メディアに記録する管理情報処理手段とを備えたことを特徴とする請求項１記載の撮影装置。
【手続補正２】
【補正対象書類名】明細書
【補正対象項目名】００１３
【補正方法】変更
【補正の内容】
【００１３】
【課題を解決するための手段】
本発明に係る撮影装置は、撮像手段と、前記撮像手段により撮影された画像データを記録メディアに記録する記録手段と、前記記録メディアから画像データを再生する再生手段と、前記記録メディアに記録されている画像データより再生すべき任意の画像データを指定する指定手段と、前記指定手段により指定された画像データの再生動作の開始と終了に連動して、前記記録手段による前記撮影された画像データの記録開始と終了を制御する制御手段と、前記再生された画像データに係る画像と前記撮影された画像とを合成して表示装置に表示する表示手段とを具備することを特徴とする。
【手続補正３】
【補正対象書類名】明細書
【補正対象項目名】００４２
【補正方法】削除
【補正の内容】
【手続補正４】
【補正対象書類名】明細書
【補正対象項目名】００４３
【補正方法】削除
【補正の内容】
【手続補正５】
【補正対象書類名】明細書
【補正対象項目名】００４４
【補正方法】削除
【補正の内容】
【手続補正６】
【補正対象書類名】明細書
【補正対象項目名】００４５
【補正方法】削除
【補正の内容】
【手続補正７】
【補正対象書類名】明細書
【補正対象項目名】００４６
【補正方法】削除
【補正の内容】
【手続補正８】
【補正対象書類名】明細書
【補正対象項目名】００４７
【補正方法】削除
【補正の内容】
【手続補正９】
【補正対象書類名】明細書
【補正対象項目名】００４８
【補正方法】削除
【補正の内容】
【手続補正１０】
【補正対象書類名】明細書
【補正対象項目名】００４９
【補正方法】削除
【補正の内容】
【手続補正１１】
【補正対象書類名】明細書
【補正対象項目名】００５０
【補正方法】削除
【補正の内容】
【手続補正１２】
【補正対象書類名】明細書
【補正対象項目名】００５１
【補正方法】削除
【補正の内容】
【手続補正１３】
【補正対象書類名】明細書
【補正対象項目名】００５２
【補正方法】削除
【補正の内容】
【手続補正１４】
【補正対象書類名】明細書
【補正対象項目名】００５３
【補正方法】削除
【補正の内容】
【手続補正１５】
【補正対象書類名】明細書
【補正対象項目名】００５４
【補正方法】削除
【補正の内容】
【手続補正１６】
【補正対象書類名】明細書
【補正対象項目名】００５５
【補正方法】削除
【補正の内容】
【手続補正１７】
【補正対象書類名】明細書
【補正対象項目名】００５６
【補正方法】削除
【補正の内容】
【手続補正１８】
【補正対象書類名】明細書
【補正対象項目名】００５７
【補正方法】削除
【補正の内容】
【手続補正１９】
【補正対象書類名】明細書
【補正対象項目名】００５８
【補正方法】削除
【補正の内容】
【手続補正書】
【提出日】平成18年1月20日(2006.1.20)
【手続補正１】
【補正対象書類名】明細書
【補正対象項目名】特許請求の範囲
【補正方法】変更
【補正の内容】
【特許請求の範囲】
【請求項１】  画像データを獲得する際の条件を入力する撮像条件入力手段と、画像データを獲得する画像データ獲得手段と、該画像データに付随する付属データを獲得する付属データ獲得手段と、前記撮像条件入力手段で得られた撮像条件と前記付属データ獲得手段で得られた付属データによる条件とをチェックする条件チェック手段と、該条件チェック手段により一貫しない条件が存在すると判定された場合に、その旨を警告する警告手段とを有することを特徴とする画像処理装置。
【請求項２】  前記警告手段による警告とは、表示画面への表示をもってなされることを特徴とする請求項１記載の画像処理装置。
【請求項３】  さらに、前記画像データ獲得手段で獲得した画像データを出力する画像出力手段と、前記付属データ獲得手段や前記撮像条件入力手段で得られた情報に基づく付随データを出力する付随データ出力手段とを備えることを特徴とする請求項１又は２記載の画像処理装置。
【請求項４】  前記付属データとは、前記画像データ獲得手段における合焦距離に関する情報であり、前記撮像条件とは撮影モードに関する情報であることを特徴とする請求項１乃至３のいずれか１項記載の画像処理装置。
【請求項５】  画像データを獲得する際の条件を入力する撮像条件入力工程と、画像データを獲得する画像データ獲得工程と、該画像データに付随する付属データを獲得する付属データ獲得工程と、前記撮像条件入力工程で得られた撮像条件と前記付属データ獲得手段で得られた付属データによる条件とをチェックする条件チェック工程と、該条件チェック工程において一貫しない条件が存在すると判定された場合に、その旨を警告する警告工程とを有することを特徴とする画像処理方法。
【請求項６】  前記警告工程による警告とは、表示画面への表示をもってなされることを特徴とする請求項５記載の画像処理方法。
【請求項７】  さらに、前記画像データ獲得工程で獲得した画像データを出力する画像出力工程と、前記付属データ獲得工程や前記撮像条件入力工程で得られた情報に基づく付随データを出力する付随データ出力工程とを備えることを特徴とする請求項５又は６記載の画像処理方法。
【請求項８】  前記付属データとは、前記画像データ獲得工程で得られる合焦距離に関する情報であり、前記撮像条件とは撮影モードに関する情報であることを特徴とする請求項５乃至７のいずれか１項記載の画像処理装置。
【請求項９】  画像処理装置が実行可能なプログラムであって、画像データを獲得する際の条件を入力する撮像条件入力工程と、画像データを獲得する画像データ獲得工程と、該画像データに付随する付属データを獲得する付属データ獲得工程と、前記撮像条件入力工程で得られた撮像条件と前記付属データ獲得手段で得られた付属データによる条件とをチェックする条件チェック工程と、該条件チェック工程において一貫しない条件が存在すると判定された場合に、その旨を警告する警告工程とを前記画像処理装置に実行させることを特徴とする画像処理装置用プログラム。
【手続補正２】
【補正対象書類名】明細書
【補正対象項目名】００１２
【補正方法】変更
【補正の内容】
【００１２】
【課題を解決するための手段】
上記目的を達成するために、本発明に係る画像処理装置は、画像データを獲得する際の条件を入力する撮像条件入力手段と、画像データを獲得する画像データ獲得手段と、該画像データに付随する付属データを獲得する付属データ獲得手段と、前記撮像条件入力手段で得られた撮像条件と前記付属データ獲得手段で得られた付属データによる条件とをチェックする条件チェック手段と、該条件チェック手段により一貫しない条件が存在すると判定された場合に、その旨を警告する警告手段とを有することを特徴とする。
本発明に係る画像処理装置は、画像データを獲得する際の条件を入力する撮像条件入力工程と、画像データを獲得する画像データ獲得工程と、該画像データに付随する付属データを獲得する付属データ獲得工程と、前記撮像条件入力工程で得られた撮像条件と前記付属データ獲得手段で得られた付属データによる条件とをチェックする条件チェック工程と、該条件チェック工程において一貫しない条件が存在すると判定された場合に、その旨を警告する警告工程とを有することを特徴とする。
本発明に係る画像処理装置用プログラムは、画像処理装置が実行可能なプログラムであって、画像データを獲得する際の条件を入力する撮像条件入力工程と、画像データを獲得する画像データ獲得工程と、該画像データに付随する付属データを獲得する付属データ獲得工程と、前記撮像条件入力工程で得られた撮像条件と前記付属データ獲得手段で得られた付属データによる条件とをチェックする条件チェック工程と、該条件チェック工程において一貫しない条件が存在すると判定された場合に、その旨を警告する警告工程とを前記画像処理装置に実行させることを特徴とする。
【手続補正３】
【補正対象書類名】明細書
【補正対象項目名】００７２
【補正方法】変更
【補正の内容】
【００７２】
【発明の効果】
以上詳細に説明したように、本発明によれば、撮像条件入力手段又は撮像条件入力工程で得られた撮像条件と付属データ獲得手段又は付属データ獲得工程で得られた付属データによる条件とをチェックし、このチェックの結果、撮像条件と付属データによる条件との間で一貫しない条件が存在すると判定された場合に、その旨が警告されるので、不適切な処理の発生を防ぐことができ、後にこの付属データを利用する上でもまた不適切な処理の発生を防ぐことができる。
【手続補正書】
【提出日】平成18年10月4日(2006.10.4)
【手続補正１】
【補正対象書類名】明細書
【補正対象項目名】特許請求の範囲
【補正方法】変更
【補正の内容】
【特許請求の範囲】
【請求項１】
第１の領域及び第２の領域を指定する領域指定情報と、前記領域指定情報とは異なる付加情報を入力する入力手段と、
前記領域指定情報で指定される第１の領域に第１のドットサイズのドットを配置し、前記領域指定情報で指定される前記第２の領域に前記第１のドットサイズより小さな第２のドットサイズのドットを前記入力された付加情報に応じて配置して地紋画像を生成する生成手段とを有し、
前記生成手段で生成された地紋画像における第２の領域内の前記第２のドットサイズのドットの位置に基づいて前記領域指定情報とは異なる付加情報は抽出可能であることを特徴とする画像処理装置。
【請求項２】
前記生成手段で生成された地紋画像がシート上に出力され、かつ、当該シートが複写された場合に、当該複写により得られた複写物上で前記第１の領域内の画像は前記第２の領域内の画像により再現されることを特徴とする請求項１に記載の画像処理装置。
【請求項３】
前記領域指定情報は、複写物であることを示す文字列の情報であり、前記複写物上で前記第２の領域内の画像が前記第１の領域内の画像より再現されることにより、当該文字列の情報が浮かび上がることを特徴とする請求項２に記載の画像処理装置。
【請求項４】
前記付加情報は、原本であることを示す情報であることを特徴とする請求項１乃至３の何れか１項に記載の画像処理装置。
【請求項５】
前記生成手段は、前記地紋画像を生成するために前記第１のドットサイズのドットを配置する際に、第２の付加情報に応じてドットを配置し、
前記生成手段で生成された地紋画像における第１の領域内の前記第１のドットサイズのドットにより前記第２の付加情報は抽出され、
前記付加情報は、原本であることを示す情報であり、
前記第２の付加情報は、複写禁止を示す情報であることを特徴とする請求項３に記載の画像処理装置。
【請求項６】
第１の領域及び第２の領域を指定する領域指定情報と、前記領域指定情報とは異なる付加情報を入力する入力工程と、
前記領域指定情報で指定される第１の領域に第１のドットサイズのドットを配置し、前記領域指定情報で指定される前記第２の領域に前記第１のドットサイズより小さな第２のドットサイズのドットを前記入力された付加情報に応じて配置して地紋画像を生成する生成工程とを有し、
前記生成工程で生成された地紋画像における第２の領域内の前記小さな第２のドットサイズのドットの位置に基づいて前記領域指定情報とは異なる付加情報は抽出可能であることを特徴とする画像処理装置の制御方法。
【請求項７】
前記生成工程で生成された地紋画像がシート上に出力され、かつ、当該シートが複写された場合に、当該複写により得られた複写物上で前記第１の領域内の画像は前記第２の領域内の画像により再現されることを特徴とする請求項６に記載の画像処理装置の制御方法。
【請求項８】
前記領域指定情報は、複写物であることを示す文字列の情報であり、前記複写物上で前記第２の領域内の画像が前記第１の領域内の画像より再現されることにより、当該文字列の情報が浮かび上がることを特徴とする請求項７に記載の画像処理装置の制御方法。
【請求項９】
前記付加情報は、原本であることを示す情報であることを特徴とする請求項６乃至８の何れか１項に記載の画像処理装置の制御方法。
【請求項１０】
前記生成工程は、前記地紋画像を生成するために前記第１のドットサイズのドットを配置する際に、第２の付加情報に応じてドットを配置し、
前記生成工程で生成された地紋画像における第１の領域内の前記第１のドットサイズのドットにより前記第２の付加情報は抽出され、
前記付加情報は、原本であることを示す情報であり、
前記第２の付加情報は、複写禁止を示す情報であることを特徴とする請求項８に記載の画像処理装置の制御方法。
【請求項１１】
コンピュータに請求項６乃至１０の何れか１項に記載の制御方法を実行させるためのプログラム。
【請求項１２】
請求項１１に記載のプログラムを格納したコンピュータ読み取り可能な記憶媒体。
【手続補正２】
【補正対象書類名】明細書
【補正対象項目名】００１１
【補正方法】変更
【補正の内容】
【００１１】
即ち、第１の領域及び第２の領域を指定する領域指定情報と、前記領域指定情報とは異なる付加情報を入力する入力手段と、
前記領域指定情報で指定される第１の領域に第１のドットサイズのドットを配置し、前記領域指定情報で指定される前記第２の領域に前記第１のドットサイズより小さな第２のドットサイズのドットを前記入力された付加情報に応じて配置して地紋画像を生成する生成手段とを有し、
前記生成手段で生成された地紋画像における第２の領域内の前記第２のドットサイズのドットの位置に基づいて前記領域指定情報とは異なる付加情報は抽出可能であることを特徴とする。
本発明の目的を達成するために、例えば本発明の画像処理方法は以下の構成を備える。
即ち、第１の領域及び第２の領域を指定する領域指定情報と、前記領域指定情報とは異なる付加情報を入力する入力工程と、
前記領域指定情報で指定される第１の領域に第１のドットサイズのドットを配置し、前記領域指定情報で指定される前記第２の領域に前記第１のドットサイズより小さな第２のドットサイズのドットを前記入力された付加情報に応じて配置して地紋画像を生成する生成工程とを有し、
前記生成工程で生成された地紋画像における第２の領域内の前記小さな第２のドットサイズのドットの位置に基づいて前記領域指定情報とは異なる付加情報は抽出可能であることを特徴とする。
【手続補正書】
【提出日】平成18年1月18日(2006.1.18)
【手続補正１】
【補正対象書類名】明細書
【補正対象項目名】発明の名称
【補正方法】変更
【補正の内容】
【発明の名称】情報処理装置、情報処理方法ならびにプログラム
【手続補正２】
【補正対象書類名】明細書
【補正対象項目名】特許請求の範囲
【補正方法】変更
【補正の内容】
【特許請求の範囲】
【請求項１】  入力されたマルチメディアデータの編集を行う情報処理方法であって、
前記マルチメディアデータのメタデータを取得する取得工程と、
前記メタデータに基づいて、前記マルチメディアデータにトランジション効果を付加するためのトランジションクリップを選択する選択工程と、
前記トランジションクリップにより、前記マルチメディアデータに対して、トランジション効果を得るための処理をする処理工程と
を備えることを特徴とする情報処理方法。
【請求項２】  前記選択工程は、
あらかじめ格納されたトランジションクリップの中から、前記マルチメディアデータに付加するトランジション効果として適した複数の候補を抽出する抽出工程と、
前記抽出された複数の候補の中から、特定のトランジションクリップを決定する決定工程と
を備えることを特徴とする請求項１に記載の情報処理方法。
【請求項３】  前記抽出工程は、
前記マルチメディアデータの有する各シーンのうち、トランジションクリップが挿入される位置の前後のシーンが有するメタデータのイベント情報に関連づけられた、複数のトランジションクリップの候補を抽出することを特徴とする請求項２に記載の情報処理方法。
【請求項４】  前記抽出工程は、
前記マルチメディアデータのの有する各シーンのうち、トランジションクリップが挿入される位置の前後のシーンが有するメタデータのイベント情報とオブジェクト情報との相関に関連づけられたトランジション効果に対応する複数のトランジションクリップの候補を抽出することを特徴とする請求項２に記載の情報処理方法。
【請求項５】  前記決定工程は、
前記抽出された複数のトランジションクリップの候補を表示する工程と、
前記表示された複数のトランジションクリップの候補の中から、任意の１つを指示する工程と、を備え、
前記指示されたトランジションクリップを特定のトランジションクリップとして決定することを特徴とする請求項２に記載の情報処理方法。
【請求項６】  前記選択工程は、
あらかじめ格納されたトランジションクリップの中から、前記マルチメディアデータに付加するトランジション効果として適切でない、候補を抽出する抽出工程と、
特定のトランジションクリップを決定する決定工程と
を備えることを特徴とする請求項１に記載の情報処理方法。
【請求項７】  前記抽出工程は、
前記マルチメディアデータの有する各シーンのうち、トランジションクリップが挿入される位置の前後のシーンが有するメタデータのイベント情報に関連づけられた、複数のトランジションクリップの候補を抽出することを特徴とする請求項６に記載の情報処理方法。
【請求項８】  前記抽出工程は、
前記マルチメディアデータの有する各シーンのうち、トランジションクリップが挿入される位置の前後のシーンが有するメタデータのイベント情報とオブジェクト情報との相関に関連づけられたトランジション効果に対応する複数のトランジションクリップの候補を抽出することを特徴とする請求項６に記載の情報処理方法。
【請求項９】  前記決定工程は、
前記トランジションクリップを表示する工程と、
前記表示された複数のトランジションクリップの中から、任意の１つを指示する工程と、
前記指示されたトランジションクリップが、前記抽出工程により抽出された不適切なトランジションクリップであった場合に、エラーメッセージを表示する工程と
を備えることを特徴とする請求項６に記載の情報処理方法。
【請求項１０】  前記選択工程は、
前記マルチメディアデータのうち、編集されるフレームに対する各トランジションクリップの適合度を示す適合率を算出する工程と
前記算出された適合率の高い順に、前記各トランジションクリップを表示する工程と、
前記表示されたトランジションクリップの中から、任意の１つを指示する工程と
を備えることを特徴とする請求項１に記載の情報処理方法。
【請求項１１】  入力されたマルチメディアデータの編集を行う情報処理装置であって、
前記マルチメディアデータのメタデータを取得する取得手段と、
前記メタデータに基づいて、前記マルチメディアデータにトランジション効果を付加するためのトランジションクリップを選択する選択手段と、
前記トランジションクリップにより、前記マルチメディアデータに対して、トランジション効果を得るための処理をする処理手段と
を備えることを特徴とする情報処理装置。
【請求項１２】  請求項１乃至１０のいずれか１つに記載の情報処理方法をコンピュータによって実現させるための制御プログラム。
【手続補正書】
【提出日】平成18年1月18日(2006.1.18)
【手続補正１】
【補正対象書類名】明細書
【補正対象項目名】発明の名称
【補正方法】変更
【補正の内容】
【発明の名称】撮像装置、輝度補正方法、および、プログラム
【手続補正２】
【補正対象書類名】明細書
【補正対象項目名】特許請求の範囲
【補正方法】変更
【補正の内容】
【特許請求の範囲】
【請求項１】  撮影レンズを透過した撮影光の光量を測定する測光手段と、撮像素子の出力に基づき画像データの露光輝度値を抽出する抽出手段と、前記測光手段で取得された測光輝度値と、機械的に遮光を行うシャッタを開いて撮影された画像データの前記抽出手段で抽出された露光輝度値とを比較する比較手段と、前記比較手段の比較結果に応じて前記画像データの輝度値を補正する補正手段とを有することを特徴とする撮像装置。
【請求項２】  前記補正手段は、前記比較手段によって前記測光輝度値と前記露光輝度値の差が所定の範囲外と判別された場合に、前記測光輝度値と前記露光輝度値の差が所定の範囲内となるように前記画像データの輝度値を補正し、所定の範囲内と判別された場合に前記画像データの輝度値を補正しないことを特徴とする請求項１に記載の撮像装置。
【請求項３】  撮影を行う前に前記測光手段で取得された測光輝度値に応じて前記撮影レンズを透過する撮影光の光量を調節する絞り部を備え、前記比較手段は、前記絞り部によって前記撮影レンズを透過する撮影光の光量を調節した後に前記測光手段にて得られた測光輝度値と前記露光輝度値を比較することを特徴とする請求項１または２に記載の撮像装置。
【請求項４】  前記補正手段による補正を実行するか否かを設定する補正設定手段を有することを特徴とする請求項１から３のいずれかに記載の撮像装置。
【請求項５】  前記補正手段で補正された前記画像データに補正情報を付随させて記録する補正情報記録手段を有することを特徴とする請求項１から４のいずれかに記載の撮像装置。
【請求項６】  撮影レンズを透過した撮影光の光量を測定する測光工程と、撮像素子の出力に基づき画像データの露光輝度値を抽出する抽出工程と、前記測光工程で取得された測光輝度値と、機械的に遮光を行うシャッタを開いて撮影された画像データの前記抽出工程で抽出された露光輝度値とを比較する比較工程と、前記比較工程の比較結果に応じて前記画像データの輝度値を補正する補正工程とを有することを特徴とする輝度補正方法。
【請求項７】  撮影レンズを透過した撮影光の光量を測定する測光機能と、撮像素子の出力に基づき画像データの露光輝度値を抽出する抽出機能と、前記測光機能で取得された測光輝度値と、機械的に遮光を行うシャッタを開いて撮影された画像データの前記抽出機能で抽出された露光輝度値とを比較する比較機能と、前記比較機能の比較結果に応じて前記画像データの輝度値を補正する補正機能を、コンピュータに実現させるためのプログラム。
【手続補正３】
【補正対象書類名】明細書
【補正対象項目名】０００１
【補正方法】変更
【補正の内容】
【０００１】
【発明の属する技術分野】
本発明は、フォーカルプレーンシャッタによって露光量を制御することで撮影を行い、撮影レンズを透過した撮影光を固体撮像素子により電気信号に変換し、画像処理された画像データを固体メモリ素子により記録する電子カメラに適用する場合に好適な撮像装置、輝度補正方法、および、プログラムに関する。
【手続補正４】
【補正対象書類名】明細書
【補正対象項目名】００１１
【補正方法】変更
【補正の内容】
【００１１】
本発明は、上述した点に鑑みなされたものであり、シャッタの機械的ばらつきにより露光むらが発生した撮影画像データであっても、記録媒体に記録する撮影画像データは適正な露光レベルに補正することを可能とした撮像装置、輝度補正方法、および、プログラムを提供することを目的とする。
【手続補正５】
【補正対象書類名】明細書
【補正対象項目名】００１２
【補正方法】変更
【補正の内容】
【００１２】
【課題を解決するための手段】
上記目的を達成するため、本発明の撮像装置は、撮影レンズを透過した撮影光の光量を測定する測光手段と、撮像素子の出力に基づき画像データの露光輝度値を抽出する抽出手段と、前記測光手段で取得された測光輝度値と、機械的に遮光を行うシャッタを開いて撮影された画像データの前記抽出手段で抽出された露光輝度値とを比較する比較手段と、前記比較手段の比較結果に応じて前記画像データの輝度値を補正する補正手段とを有することを特徴とする。
【手続補正６】
【補正対象書類名】明細書
【補正対象項目名】００５８
【補正方法】削除
【補正の内容】
【手続補正７】
【補正対象書類名】明細書
【補正対象項目名】００５９
【補正方法】削除
【補正の内容】
【手続補正８】
【補正対象書類名】明細書
【補正対象項目名】００６０
【補正方法】削除
【補正の内容】
【手続補正９】
【補正対象書類名】明細書
【補正対象項目名】００６１
【補正方法】削除
【補正の内容】
【手続補正１０】
【補正対象書類名】明細書
【補正対象項目名】００６２
【補正方法】削除
【補正の内容】
【手続補正１１】
【補正対象書類名】明細書
【補正対象項目名】００６３
【補正方法】削除
【補正の内容】
【手続補正１２】
【補正対象書類名】明細書
【補正対象項目名】００６４
【補正方法】削除
【補正の内容】
【手続補正１３】
【補正対象書類名】明細書
【補正対象項目名】００６５
【補正方法】削除
【補正の内容】
【手続補正１４】
【補正対象書類名】明細書
【補正対象項目名】００６６
【補正方法】削除
【補正の内容】
【手続補正１５】
【補正対象書類名】明細書
【補正対象項目名】００６７
【補正方法】変更
【補正の内容】
【００６７】
【発明の効果】
以上説明したように、本発明によれば、シャッタの機械的ばらつきにより露光むらが発生した撮影画像データであっても、記録媒体に記録する撮影画像データは適正な露光レベルに補正することが可能となる。また、新たな部品等を追加することなく露光むらを検出することが可能となるので、露光むらを検出する部品を新たに搭載するためのスペースや製造コストの増加を抑制できる効果がある。
【手続補正書】
【提出日】平成18年4月26日(2006.4.26)
【手続補正１】
【補正対象書類名】明細書
【補正対象項目名】特許請求の範囲
【補正方法】変更
【補正の内容】
【特許請求の範囲】
【請求項１】  半導体基板上に絶縁膜を介して積層された下層配線と上層配線とを電気的に接続するビアの電気抵抗をモニタするためのパターンが形成された半導体装置において、
前記半導体基板と前記下層配線との間に形成された絶縁膜に、これら半導体基板と下層配線とを電気的に接続する電流経路を形成したことを特徴とする半導体装置。
【請求項２】  半導体基板上に絶縁膜を介して積層された多層配線のうち、下層側から第Ｎ（Ｎは任意の自然数）層目の下層配線と第Ｎ＋１層目の上層配線とを電気的に接続するビアの電気抵抗をモニタするためのパターンが形成された半導体装置において、
前記半導体基板と前記パターンをなす第Ｎ層目の配線との間に形成された絶縁膜に、これら半導体基板と第Ｎ層目の下層配線とを電気的に接続する電流経路を形成したことを特徴とする半導体装置。
【請求項３】  前記下層配線と前記ビアと前記上層配線とから形成される第１の電流経路の電気抵抗に対し、前記半導体基板と前記下層配線とを接続する電流経路と該半導体基板から形成される第２の電流経路の電気抵抗を高く設定したことを特徴とする請求項１または２に記載された半導体装置。
【請求項４】  前記パターンがビアチェーンであることを特徴とする請求項１ないし３の何れか１項に記載された半導体装置。
【請求項５】  前記パターンがケルビンパターンであることを特徴とする請求項１ないし３の何れか１項に記載された半導体装置。
【請求項６】  前記パターンが、前記半導体基板をなすウエハのチップ領域に形成されたことを特徴とする請求項１ないし５の何れか１項に記載された半導体装置。
【請求項７】  前記パターンが、前記半導体基板をなすウエハの外周領域に形成されたことを特徴とする請求項１ないし５の何れか１項に記載された半導体装置。
【請求項８】  前記パターンが、前記半導体基板をなすウエハのスクライブライン領域に形成されたことを特徴とする請求項１ないし５の何れか１項に記載された半導体装置。
【請求項９】  前記パターンが、前記チップ領域内に形成された入出力セルの領域のうち、未使用の入出力端子に接続された入出力セルの領域に形成されたことを特徴とする請求項６に記載された半導体装置。
【請求項１０】  請求項１ないし９の何れか１項に記載された半導体装置の製造工程の途中で、前記半導体装置の電気素子に電子ビームを照射し、この電子ビームの照射に伴って前記半導体基板に発生する基板電流を測定する第１のステップと、
前記半導体装置の製造工程の終了後に、前記電気素子の電気特性を測定する第２のステップと、
前記基板電流の測定値と前記電気特性の測定値から、これら基板電流と電気特性との対応関係を定義する第３のステップと、
前記対応関係を用いて、半導体装置を工程管理する第４のステップと、
を含むことを特徴とする半導体製造方法。
【請求項１１】  請求項１ないし９の何れか１項に記載された半導体装置のウエハの製造工程の途中で前記ウエハに電子ビームを照射し、この電子ビームの照射に伴って前記半導体基板に発生する基板電流を測定する第５のステップと、
前記基板電流の測定値に基づき前記ウエハの処理条件を補正する第６のステップと、
をさらに含むことを特徴とする請求項１０に記載された半導体製造方法。
【請求項１２】  前記第１のステップでは、前記ウエハに対する処理条件として複数の水準を設けたことを特徴とする請求項１０または１１に記載された半導体製造工程管理方法。
【請求項１３】  前記第３のステップでは、前記複数の水準の処理条件が適用された各ウエハに形成されたパターンを用いて前記対応関係を決定することを特徴とする請求項１２に記載された半導体製造方法。
【請求項１４】  前記第７のステップでは、前記基板電流の測定値が前記工程管理規格を逸脱した方向とは逆方向に移動するように、前記処理条件を補正し、前記補正された処理条件を前記ウエハの処理装置に設定することを特徴とする請求項１１ないし１３に記載された半導体製造方法。
【請求項１５】  前記第１のステップでは、ビアホール形成工程の後に前記半導体基板に発生する基板電流を測定することを特徴とする請求項１０ないし１４の何れか１項に記載された半導体製造方法。
【請求項１６】  前記第１のステップでは、配線用のトレンチ形成工程の後に前記半導体基板に発生する基板電流を測定することを特徴とする請求項１０ないし１４の何れか１項に記載された半導体製造方法。
【請求項１７】  前記第１のステップでは、配線形成工程の後に前記半導体基板に発生する基板電流を測定することを特徴とする請求項１０ないし１４の何れか１項に記載された半導体製造方法。
【請求項１８】 半導体基板上に絶縁膜を介して配線が形成された半導体装置において、
前記半導体基板と前記配線との間に、該配線の総抵抗よりも大きな抵抗値を有する電流経路を前記配線とは別に形成したことを特徴とする半導体装置。
【請求項１９】 前記電流経路は高抵抗素子であることを特徴とする請求項１８に記載された半導体装置。
【請求項２０】 前記電流経路はコンデンサであることを特徴とする請求項１８に記載された半導体装置。
【手続補正書】
【提出日】平成18年1月18日(2006.1.18)
【手続補正１】
【補正対象書類名】明細書
【補正対象項目名】特許請求の範囲
【補正方法】変更
【補正の内容】
【特許請求の範囲】
【請求項１】
原版のパターンを光学素子を介して基板に転写する露光装置であって、
原版を保持する第１ステージと、
基板を保持する第２ステージと、
前記第１、第２ステージの位置を計測するセンサと、
前記センサの計測結果に基づいて、前記パターンが前記基板上に転写されるように前記光学素子を駆動する駆動部と、
前記光学素子を駆動することによって劣化する光学特性を補償する手段と、
を備えることを特徴とする露光装置。
【請求項２】
前記駆動部は、前記第１ステージ及び前記第２ステージの少なくとも一方の位置のずれによって生じる前記基板上における前記パターンの位置のずれを補正するように前記光学素子を駆動または変形させることを特徴とする請求項１に記載の露光装置。
【請求項３】
前記光学素子は、光源から出射された露光光を反射する反射ミラーを含むことを特徴とする請求項１に記載の露光装置。
【請求項４】
前記光学素子は、光源から出射された露光光を縮小投影するためのレンズを含むことを特徴とする請求項１に記載の露光装置。
【請求項５】
前記光学素子は、更に、シートガラスを含むことを特徴とする請求項４に記載の露光装置。
【請求項６】
前記第１ステージ及び前記第２ステージは、前記基板が走査露光されるように同期制御されることを特徴とする請求項１乃至請求項５のいずれか１つに記載の露光装置。
【請求項７】
前記同期制御における並進方向及び回転方向の少なくとも１つの制御誤差は、前記光学素子を駆動することによって補正されることを特徴とする請求項６に記載の露光装置。
【請求項８】
前記光学素子を６自由度で駆動するための駆動系と、前記光学素子の位置を６自由度で計測するための計測系とを更に有することを特徴とする請求項１乃至請求項７のいずれか１つに記載の露光装置。
【請求項９】
前記光学特性を補償する手段は、原版を基板に転写する投影光学系の反射ミラー又はレンズを、光軸に対して並進又は光軸に直交する軸廻りに回転させることを特徴とする請求項１乃至請求項８のいずれか１つに記載の露光装置。
【請求項１０】
前記光学特性を補償する手段は、光源の波長を変化させることを特徴とする請求項１乃至請求項９のいずれか１つに記載の露光装置。
【請求項１１】
前記光学特性を補償する手段は、光学素子を変形させ、その変形量を計測する手段を有することを特徴とする請求項１乃至請求項８のいずれか１つに記載の露光装置。
【請求項１２】
半導体デバイスの製造方法であって、
基板に感光材を塗布する塗布工程と、
前記塗布工程で前記感光材が塗布された前記基板に請求項１乃至請求項１１のいずれか１つに記載の露光装置を利用してパターンを転写する露光工程と、
前記露光工程で前記パターンが転写された前記基板の前記感光材を現像する現像工程と、
を有することを特徴とする半導体デバイスの製造方法。
【手続補正書】
【提出日】平成18年1月19日(2006.1.19)
【手続補正１】
【補正対象書類名】明細書
【補正対象項目名】特許請求の範囲
【補正方法】変更
【補正の内容】
【特許請求の範囲】
【請求項１】  各サブキャリアに配置されるユーザ信号を並び替える制御手段と、サブキャリア毎に変調方式を設定して並び替えた前記ユーザ信号を変調する変調手段と、変調した前記ユーザ信号に対して逆高速フーリエ変換する逆高速フーリエ変換手段とを具備し、前記制御手段は、変調多値数の少ない変調方式が設定されるサブキャリアに回線品質が劣悪なユーザのユーザ信号が配置されるように並び替えることを特徴とする送信装置。
【請求項２】  前記制御手段は、送信信号の送信中に送信データを送信しない未使用時間帯が存在するサブキャリアに対して前記回線品質が劣悪なユーザのユーザ信号が配置されるように並び替えることを特徴とする請求項１記載の送信装置。
【請求項３】  請求項１または請求項２記載の送信装置を具備することを特徴とする通信端末装置。
【請求項４】  請求項１または請求項２記載の送信装置を具備することを特徴とする基地局装置。
【請求項５】  各サブキャリアに配置されるユーザ信号を並び替えるステップと、サブキャリア毎に変調方式を設定して並び替えた前記ユーザ信号を変調するステップと、変調した前記ユーザ信号に対して逆高速フーリエ変換するステップとを具備し、変調多値数の少ない変調方式が設定されるサブキャリアに回線品質が劣悪なユーザのユーザ信号が配置されるように並び替えることを特徴とする送信方法。
【手続補正２】
【補正対象書類名】明細書
【補正対象項目名】０００９
【補正方法】変更
【補正の内容】
【０００９】
【課題を解決するための手段】
本発明の送信装置は、各サブキャリアに配置されるユーザ信号を並び替える制御手段と、サブキャリア毎に変調方式を設定して並び替えた前記ユーザ信号を変調する変調手段と、変調した前記ユーザ信号に対して逆高速フーリエ変換する逆高速フーリエ変換手段とを具備し、前記制御手段は、変調多値数の少ない変調方式が設定されるサブキャリアに回線品質が劣悪なユーザのユーザ信号が配置されるように並び替える構成を採る。
【手続補正３】
【補正対象書類名】明細書
【補正対象項目名】００１０
【補正方法】変更
【補正の内容】
【００１０】
本発明の送信方法は、各サブキャリアに配置されるユーザ信号を並び替えるステップと、サブキャリア毎に変調方式を設定して並び替えた前記ユーザ信号を変調するステップと、変調した前記ユーザ信号に対して逆高速フーリエ変換するステップとを具備し、変調多値数の少ない変調方式が設定されるサブキャリアに回線品質が劣悪なユーザのユーザ信号が配置されるように並び替えるようにした。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】